(57)【特許請求の範囲】
【請求項１】
シャフトに給液路と排液路とを設け、そのシャフトの先に、前記給液路に通ずる給液口と、前記排液路に通ずる排液口とをあけ、
そのシャフトの先の側面周囲を被って多孔質の清掃部材を取り付け、その清掃部材の内部に前記給液口と排液口とを位置する一方、
それらの給液口と排液口とを前記シャフトの軸方向にずらせてあけ、それらの給液口と排液口との間であって前記シャフトの外周に環状凸部を形成してなる、口腔内清掃具。
【請求項２】
前記環状凸部のシャフト先端側の面を傘状の傾斜面としてなる、請求項１に記載の口腔内清掃具。
【請求項３】
前記環状凸部の外周に外向きの突起を複数設けてなる、請求項１又は２に記載の口腔内清掃具。
【発明の詳細な説明】
【０００１】
【発明の属する技術分野】
この発明は、たとえば、介護者が、寝たきりの人や身体の不自由な人などの口腔内に清掃具の先端を挿入してポンプを駆動し、水、薬液等の液を給排しながら、清掃部材で清掃して、たとえば口腔内に残った食べかすのような残滓物質を除去したり、口腔内の汚れと雑菌により粘膜部に生成された舌苔などの物質を除去したりすることにより、口腔内を清掃する口腔内清掃具に関する。
【従来の技術】
【０００２】
従来、この種の口腔内清掃具として、ブラシヘッドに、給液路に通ずる給液口と、排液路に通ずる排液口とをあけ、給液口から供給した液を排液口から排出しながらブラシで口腔内を清掃する口腔洗浄用ブラシが知られている（特開平８−１１２１４３号公報）。
【０００３】
【発明が解決しようとする課題】
ところが、このような口腔洗浄用ブラシでは、その刷毛と刷毛の間には隙間があるため、このような刷毛で掻き取るだけでは、特に口腔内の汚れと雑菌により粘膜部に生成された舌苔などの物質を十分に取り除くことができなかった。
【０００４】
そこで、この発明の目的は、そのような従来の問題を解決し、特に口腔内の汚れと雑菌により粘膜部に生成された舌苔などの物質をより確実に取り除くことができるようにすることにある。
【０００５】
【課題を解決するための手段】
そのため、請求項１に記載の発明は、口腔内清掃具において、シャフトに給液路と排液路とを設け、そのシャフトの先に、前記給液路に通ずる給液口と、前記排液路に通ずる排液口とをあけ、そのシャフトの先の側面周囲を被って多孔質の清掃部材を取り付け、その清掃部材の内部に前記給液口と排液口とを位置する一方、それらの給液口と排液口とを前記シャフトの軸方向にずらせてあけ、それらの給液口と排液口との間であって前記シャフトの外周に環状凸部を形成してなることを特徴とする。
【０００８】
請求項２に記載の発明は、請求項１に記載の口腔内清掃具において、前記環状凸部のシャフト先端側の面を傘状の傾斜面としてなることを特徴とする。
【０００９】
請求項３に記載の発明は、請求項１又は２に記載の口腔内清掃具において、前記環状凸部の外周に外向きの突起を複数設けてなることを特徴とする。
【００１１】
【発明の実施の形態】
次に、この発明の実施の形態を図面にしたがって詳細に説明する。
図１は、この発明の口腔内清掃具の部分拡大断面図である。口腔内清掃具１は、シャフト２と清掃部材３よりなる。
【００１２】
まず、シャフト２は、樹脂材料で一体成形でつくり、中心に排液路５を設け、それと平行にそれより若干小径の給液路４を設ける。そして、このシャフト２の先に、給液路４に通ずる給液口６と、それよりも大きく、排液路５に通ずる排液口７とをあける。
【００１３】
このとき、図２に示すように、給液口６と排液口７とは、シャフト２の同一軸線Ｌ上であって、軸方向にずらせた位置に設ける。
【００１４】
次に、清掃部材３は、スポンジ等の多孔質材料でつくり、円柱状の中心に貫通穴８をあける。その貫通穴８にシャフト２を通して、シャフト２の先に、給液口６と排液口７とを被って清掃部材３を取り付ける。
【００１５】
そして、後述するポンプの給排作用により給液路４に送られてきた水、薬液等の液を、給液口６から清掃部材３へと吐出し、清掃部材３に液を十分に廻す。この清掃部材３で口腔内を清掃し、除去した、口腔内の残滓物質や、口腔内の汚れと雑菌により生成された舌苔などの物質を含む排液を、排液口７を通して排液路５へと吸引排出する。
【００１６】
この例では、図２のように、供液口６と排液口７とを、シャフト２の同一軸線Ｌ上に設けたが、図３のように、排液口７を軸線Ｌ上に設け、給液口６を周方向でｅだけずれた軸線Ｌ１上に設けるとよい。これにより、給液口６から供給した液を直ちに排液口７から吸引排出することを防ぎ、清掃部材３に液が十分に廻るようにすることができる。
【００１７】
さて、図４に示すように、清掃部材３のシャフト２からの抜けを防止するため、シャフト２の外周に環状凸部９を４つ形成し、そのうちの２つを給液口６と排液口７との間に形成するとよい。これにより、環状凸部９で給液口６と排液口７との間を遮り、清掃部材３の表面に十分に液を廻してから、排液口７へと吸引排出することができる。
【００１８】
また、この環状凸部９のシャフト先端側の面９ａを、図５に示すように、傘状の傾斜面とするとよい。これにより、環状凸部９を設けた場合にも、清掃部材３の貫通穴８にシャフト２の先を容易に挿入することができ、使用時における清掃部材３のシャフト２からの抜けを防止することができる。
【００１９】
さらに、清掃部材３のシャフト２からの抜けを一層防ぐべく、このシャフト先端側の面９ａの先端部９ｂを、尖らせるとよい。
【００２０】
さらにまた、図６に示すように、環状凸部９の外周に外向きの突起１０を複数設けるとよい。これにより、使用時における、清掃部材３のシャフト２からの抜けを一層防止できる。
【００２１】
ところで、図７に示すように、排液路５を有する剛性のパイプ１１に、そのパイプ１１との間で給液路４を形成する弾性キャップ１２を被せて、前記シャフト２を構成するとよい。そして、この弾性キャップ１２に給液口６をあけるとともに、弾性キャップ１２とパイプ１１の双方を貫通して排液口７をあける。そして、それら給液口６と排液口７とを被って弾性キャップ１２の外側に清掃部材３を取り付ける。
【００２２】
これにより、給液路４と排液路５とを設け、給液口６と排液口７とを有するシャフト２を構成簡単にして組立て容易につくることができる。
【００２３】
なお、この例では、図７に示すように、剛性のパイプ１１の外周に凸部１３を周方向に設け、弾性キャップ１２の内面との間を気密に嵌合する。これにより、パイプ１１と弾性キャップ１２間を通しての給液路４と排液路５との連通を確実に遮断することができる。
【００２４】
ところで、以上説明したこの発明の口腔内清掃具１を使用するには、たとえば、図８に示すように、前記給液路４を給液管１４を介して給液タンク１５に接続し、さらに排気管１６を介してポンプ１７に接続する。
【００２５】
一方、前記排液路５を排液管１８を介して排液タンク１９に接続し、さらに吸気管２０を介してポンプ１７に接続する。
【００２６】
そして、不図示のスイッチをＯＮにしてポンプ１７を作動して、排気管１６を通して給液タンク１５に空気を送り込むとともに、排液タンク１９から空気を吸引する。
【００２７】
これにより、給液タンク１５内の液を、給液管１４を通して口腔内清掃具１の給液路４へと入れる。そして前述のように、清掃部材３で口腔内を清掃する。
【００２８】
また、ポンプ１７の作動により、排液タンク１９内を負圧化し、排液管１８を通して、口腔内清掃具１内の排液を吸引する。
【００２９】
【発明の効果】
したがって、この発明によれば、シャフトの先に多孔質の清掃部材を取り付けるから、清掃部材の面により擦り取って、特に口腔内の汚れと雑菌により粘膜部に生成された舌苔などの物質をより確実に取り除くことができる。
【００３０】
また、給液口と排液口とをシャフトの軸方向および周方向にずらせてあけてなるから、上記効果に加え、給液口から供給した液を直ちに排液口から吸引排出することを防ぎ、清掃部材に十分液が廻るようにすることができる。
【００３１】
さらに、給液口と排液口とをシャフトの軸方向にずらせてあけ、それら給液口と排液口との間であってシャフトの外周に環状凸部を形成してなるから、上記効果に加え、環状凸部で遮って、給液口から供給した液を直ちに排液口から吸引排出することを防ぎ、清掃部材の表面に十分に液を廻してから排液口へと排出することができる。
【００３２】
請求項２に記載の発明によれば、環状凸部のシャフト先端側の面を傘状の傾斜面としてなるから、上記効果に加え、清掃部材をシャフトの先から挿入しやすくすることができる。また、使用時における、清掃部材のシャフトからの抜けを防止することができる。
【００３３】
請求項３に記載の発明によれば、環状凸部の外周に外向きの突起を複数設けてなるから、上記効果に加え、使用時における、清掃部材のシャフトからの抜けを一層防止することができる。
【図面の簡単な説明】
【図１】この発明の口腔内清掃具の部分拡大断面図である。
【図２】そのシャフトの給液口と排液口とを軸方向にずらせてあけた例を示すシャフトの部分平面図である。
【図３】そのシャフトの給液口と排液口とを軸方向および周方向にずらせてあけた例を示すシャフトの部分平面図である。
【図４】そのシャフトに環状凸部を形成した例を示す口腔内清掃具の部分断面図である。
【図５】その環状凸部のシャフト先端側の面を傘状の傾斜面とした例を示すシャフトの部分平面図である。
【図６】その環状凸部の外周に外向きの突起を複数設けた例を示すシャフトの端面図である。
【図７】そのシャフトを、剛性のパイプに弾性キャップを被せて構成した例を示すシャフトの部分断面図である。
【図８】この発明の口腔内清掃具の使用例を示す概略構成説明図である。
【符号の説明】
１    口腔内清掃具
２    シャフト
３    清掃部材
４    給液路
５    排液路
６    給液口
７    排液口
８    貫通穴
９    環状凸部
９ａ  シャフト先端側の面
９ｂ  先端部
１０  突起
１１  パイプ
１２  弾性キャップ
１３  凸部
１４  給液管
１５  給液タンク
１６  排気管
１７  ポンプ
１８  排液管
１９  排液タンク
２０  吸気管
【図１】
0004172879.tif 000002
【図２】
0004172879.tif 000003
【図３】
0004172879.tif 000004
【図４】
0004172879.tif 000005
【図５】
0004172879.tif 000006
【図６】
0004172879.tif 000007
【図７】
0004172879.tif 000008
【図８】
0004172879.tif 000009